(57)【要約】      （修正有）【課題】眼鏡に追従して前後するように付勢された当接板を、任意の位置に容易に固定できるレンズメータを提供する。【解決手段】当接板を支持し、対向する２つの側壁１７，１８を有する溝型をなし、装置本体の内部に延伸する移動部材１１と、摩擦抵抗体２５を保持し、弾性支持体２７によって支持される第１のアーム２３と、第１のアーム２３に対して回動軸２１を中心に回動可能に接続され、摩擦抵抗体２６を保持する第２のアーム２４と、受光部に配置した当接板係止スイッチによって動作し、第２のアーム２４を回動させて摩擦抵抗体２５，２６を移動部材１１の側壁１７，１８に圧接するアクチュエータ２９とを有する係止機構１２を設ける。【選択図】図６
2008116290.tif 000002
【特許請求の範囲】
【請求項１】
装置本体と、
前記装置本体に設けられ、測定光を投光する投光部と、
前記装置本体に設けられ、前記測定光を受光する受光部と、
前記投光部と前記受光部との間で眼鏡の位置決めを補助する当接板を支持し、一端が前記装置本体の内部に延伸し、前記装置本体内への延伸方向前後に移動可能な移動部材と、
前記装置本体内部に支持されたアクチュエータによって、前記移動部材に摩擦抵抗体を圧接して、前記移動体の移動を摩擦力により係止できる係止機構とを有し、
前記投光部または前記受光部に、前記アクチュエータを動作させる当接板係止スイッチを設けたことを特徴とするレンズメータ。
【請求項２】
前記移動部材は、対向する２つの側壁を有する溝型をなし、
前記係止機構は、前記側壁の内側に２つの前記摩擦抵抗体を保持し、前記２つの摩擦抵抗体を前記２つの側壁にそれぞれ押圧することを特徴とする請求項１に記載のレンズメータ。
【請求項３】
前記２つの摩擦抵抗体は、１つの回動軸を中心に互いに回動可能な第１および第２のアーム上にそれぞれ保持され、
前記第１のアームは、保持している前記摩擦抵抗体が前記側壁から離間するように、弾性変形可能な弾性支持体によって支持され、
前記アクチュエータは、前記第２のアームを駆動し、前記第２のアーム上の前記摩擦抵抗体を前記回動軸に対して回動させて前記側壁に圧接すると共に、前記回動軸を前記第２のアーム上の前記摩擦抵抗体に対して回動させて前記第１のアームを移動させることで前記弾性支持体を弾性変形させて前記第１のアーム上の前記摩擦抵抗体を前記側壁に圧接することを特徴とする請求項２に記載のレンズメータ。
【請求項４】
前記アクチュエータは、ソレノイドアクチュエータであることを特徴とする請求項１から３のいずれかに記載のレンズメータ。
【発明の詳細な説明】
【技術分野】
【０００１】
本発明は、レンズの光学特性を測定するレンズメータに関する。
【背景技術】
【０００２】
眼鏡フレームに入ったレンズの光学特性を測定できるレンズメータは、眼鏡フレームに当接して装置の前後方向に位置決めする当接板を備える。
【０００３】
特許文献１には、レンズメータに対してレンズを容易に位置決めできるように、当接板を付勢し、当接板が眼鏡に追従して前後に移動するようにしたレンズメータが記載されている。
【０００４】
眼鏡は左右一対のレンズを有しているので、左右のレンズを入れ換えて測定する場合には、当接板を固定することで奥行き方向の位置決めを省略することができる。
【０００５】
当接板を保持して前後に移動する移動部材が当接板の後方の装置本体の内部に延伸していることから、従来のレンズメータでは、装置本体の当接板の後方の側部に、移動部材を押圧して当接板の前後移動を係止する機構の操作部材を設ける必要があった。
【０００６】
しかしながら、当接板を係止するためには、眼鏡から手を離して装置本体の側部に手を伸ばす必要があり、当接板を係止するまでの間に、当接板が付勢力によって移動してしまうという問題があった。
【特許文献１】特開２００５−２１４９５２号公報
【発明の開示】
【発明が解決しようとする課題】
【０００７】
そこで、前記問題点に鑑みて、本発明は、眼鏡に追従して前後するように付勢された当接板を、任意の位置に容易に固定できるレンズメータを提供することを課題とする。
【課題を解決するための手段】
【０００８】
前記課題を解決するために、本発明によるレンズメータは、装置本体と、前記装置本体に設けられ、測定光を投光する投光部と、前記装置本体に設けられ、前記測定光を受光する受光部と、前記投光部と前記受光部との間で眼鏡を位置決めする当接板を支持し、一端が前記装置本体の内部に延伸し、前記装置本体内への延伸方向前後に移動可能な移動部材と、前記装置本体内部に支持されたアクチュエータによって、前記移動部材に摩擦抵抗体を圧接し、前記移動体の移動を摩擦力により係止できる係止機構とを有し、前記投光部または前記受光部に、前記アクチュエータを動作させる当接板係止スイッチを設けたものとする。
【０００９】
この構成によれば、オペレータは、眼鏡を当接板に押し当てながらレンズの光学中心を装置に対して位置決めした状態で、眼鏡から手を離して装置の後方に手を回すことなく当接板を固定することができ、眼鏡の左右を入れ替えたときに前後方向には再度位置決めをしなくてもよい。
【００１０】
また、本発明のレンズメータにおいて、前記移動部材は、対向する２つの側壁を有する溝型をなし、前記係止機構は、前記側壁の内側に２つの前記摩擦抵抗体を保持し、前記２つの摩擦抵抗体を前記２つの側壁にそれぞれ押圧するものとしてもよい。
【００１１】
この構成によれば、当接板を固定したときに、移動部材を案内する機構に負荷がかからない。
【００１２】
また、本発明のレンズメータにおいて、前記２つの摩擦抵抗体は、１つの回動軸を中心に互いに回動可能な第１および第２のアーム上にそれぞれ保持され、前記第１のアームは、保持している前記摩擦抵抗体が前記側壁から離間するように、弾性変形可能な弾性支持体によって支持され、前記アクチュエータは、前記第２のアームを駆動し、前記第２のアーム上の前記摩擦抵抗体を前記回動軸に対して回動させて前記側壁に圧接すると共に、前記回動軸を前記第２のアーム上の前記摩擦抵抗体に対して回動させて前記第１のアームを移動させることで前記弾性支持体を弾性変形させて前記第１のアーム上の前記摩擦抵抗体を前記側壁に圧接するものとしてもよい。
【００１３】
この構成によれば、アクチュエータを移動体の外側に配置できるので、移動部材や係止機構を小さくできる。また、弾性支持体によって、非係止時には移動部材に摩擦力を作用させないようにしながら、係止時には移動体の側壁に均等な摩擦力を作用させられる。
【００１４】
また、本発明のレンズメータは、前記第１および第２のアームを、前記２つの摩擦抵抗体の間隔を狭めるように付勢する付勢部材を有してもよい。
【００１５】
この構成によれば、単動式の原点復帰機能のないアクチュエータを用いることができる。
【００１６】
また、本発明のレンズメータにおいて、前記アクチュエータは、ソレノイドアクチュエータであってもよい。
【００１７】
この構成によれば、アクチュエータが安価であり、当接板係止スイッチと電気的に連動させることが容易である。
【発明の効果】
【００１８】
本発明のレンズメータは、装置の後方に手を回すことなく、受光部に設けた当接板係止スイッチによって係止機構を駆動して、当接板をその場に固定できるので、眼鏡の左右を入れ替える際に、前後方向に位置決めをやり直す必要がない。
【発明を実施するための最良の形態】
【００１９】
これより、本発明の実施形態について、図面を参照しながら説明する。
図１は、本発明の一つの実施形態であるレンズメータ１を示す。レンズメータ１は、装置本体２の上部から前方に突出し、内部に測定光を投光する光学系を備える投光部３と、投光部３の下方で測定光を受光する光学系を備える受光部４とを有する。
【００２０】
図２に示すように、レンズメータ１は、受光部４の上に、測定対象である被検レンズ５を支持する支持部材６が配置され、投光部３と受光部４との間に、被検レンズ５を支持部材６の上に押さえつける押さえ部材７と、被検レンズ５に印点を行う印点装置８とが設けられている。
【００２１】
また、図３に示すように、レンズメータ１は、眼鏡９に入れられた被検レンズ５を測定する際に、眼鏡９のフレームに当接して被検レンズ５の位置決めを補助する当接板１０が前後移動可能に設けられている。当接板１０は、当接板１０の後方の装置本体２の内部に延伸し、装置本体２内で前後に摺動するように支持された移動部材１１の端部に支持されている。
【００２２】
移動部材１１は、オペレータが眼鏡９を前後に移動したときに、眼鏡９に追従して前後移動するように、不図示の付勢部材で装置本体２から突出するように付勢されている。また、不図示のプッシュロック機構により、図２に示すように、当接板１０を受光部４の後方に退避させた状態に固定できるようにもなっている。さらに、レンズメータ１は、装置本体２の内部に、当接板１０を任意の前後位置に固定する係止機構１２を有している。
【００２３】
投光部３は、測定結果等を表示するモニタ１３とモード設定等を行う設定ボタン１４とを有する。また、受光部４は、測定値をメモリーするメモリースイッチ１５と、係止機構１２に移動部材１１を係止または係止解除させる当接板係止スイッチ１６とを有している。
【００２４】
図４および図５に、移動部材１１および係止機構１２の詳細を示す。移動部材１１は、板材を「コ」の型に折り曲げた溝型をなしており、対向する２つの側壁１７，１８を有している。また、移動部材１１は、溝型に形成され、装置本体２内に固定される固定部材１９の内側にスライドレール２０を介して保持され、スライドレール２０に沿って前後方向に移動可能である。
【００２５】
係止機構１２は、回動軸２１を有する蝶番２２を介して互いに接続され、相対的に回動可能な第１アーム２３および第２アーム２４を有する。第１アーム２３および第２アーム２４は、それぞれ、例えばゴム製の摩擦抵抗体２５，２６を、側壁１７，１８の間にそれぞれ対向して保持するように、移動部材１１の内側に支持されている。第１アーム２３は、固定部材１９に固定した弾性変形可能な弾性支持体２７によって支持され、保持する摩擦抵抗体２５を側壁１７から離間させるように保持する。第１アーム２３および第２アーム２４の先端は、付勢部材２８により互いに接近し合うように付勢されている。これにより、第２アーム２４に保持された摩擦抵抗体２６も、側壁１８から離間している。また、第２アーム２４は、他端が、回動軸２１の反対側の移動部材１１の上方にまで延伸し、固定部材１９に固定されたソレノイドアクチュエータ２９の駆動軸３０に接続されている。
【００２６】
レンズメータ１では、当接板係止スイッチ１６を押すと、ソレノイドアクチュエータ２９に通電し、再度当接板係止スイッチ１６を押すと、ソレノイドアクチュエータ２９の電流を遮断するようになっている。ソレノイドアクチュエータ２９は、通電時に駆動軸３０を引き込むトルクを発生するが、電流を遮断したときには駆動軸３０に力が作用しない（スプリングバックなどの原点復帰のための機構を備えていない）単動式のアクチュエータである。図５では、ソレノイドアクチュエータ２９は通電されておらず、付勢部材２８の付勢力によって第２アームが回動して駆動軸３０を突出させている。このように、ソレノイドアクチュエータ２９に通電されない状態では、摩擦抵抗体２５，２６が移動部材１１に当接せず、移動部材１１がスライドレール２０に沿って自由に水平移動でき、不図示の付勢部材によって装置本体２から突出して当接板１０を前方に移動させる。
【００２７】
図６に、ソレノイドアクチュエータ２９に通電し、係止機構１２によって移動部材１１を係止している状態を示す。図示するように、ソレノイドアクチュエータ２９が駆動軸３０を引き込むと、第２アーム２４が回動軸２１を中心に回動し、摩擦抵抗体２６を移動部材１１の側壁１８に当接させる。すると、第２アーム２４は、摩擦抵抗体２６を中心に回動し、回動軸２１を移動させることにより、弾性支持体２７を弾性変形させながら第１アーム２３を側壁１７に向かって移動させ、摩擦抵抗体２５を側壁１７に当接させる。
【００２８】
こうして、係止機構１２は、摩擦抵抗体２５および２６を、それぞれ、移動部材１１の側壁１７，１８に略均等な力で圧接するので、スライドレール２０に負荷を与えることなく、摩擦力によって移動部材１１の移動を係止することができる。
【００２９】
以上のように、本実施形態のレンズメータ１では、オペレータは、当接板１０に眼鏡９押し当てながら左右いずれかの被検レンズ５を位置決めした状態で、手を大きく移動させることなく、当接板係止スイッチ１６を押すことにより、係止機構１２を動作させて当接板１０を固定することができる。このため、オペレータが眼鏡９から手を離して係止機構１２を動作させるまでの間に当接板１０の付勢力に負けて眼鏡９が前方にずれてしまうことがなく、同じ眼鏡９の左右反対側の被検レンズ５を位置決めする際に、再度前後方向に位置合わせを行う必要を生じさせない。
【００３０】
以上の説明において、係止機構１２は、ソレノイドアクチュエータ２９を駆動源としているが、電気的に動作させられるものであればよく、例えばモータを利用したアクチュエータや、電磁弁で制御する流体シリンダなどを駆動源としてもよい。
【００３１】
また、係止機構１２を動作させるための当接板係止スイッチ１６は、移動部材１１を係止させるスイッチと、移動部材１１の係止を解除させるスイッチとを別に設けてもよい。
【００３２】
また、受光部４を投光部３の上方に設けて測定光を上向きに投光するようにした場合、被検レンズ５を支持する支持部材６、メモリースイッチ１５および当接板係止スイッチ１６を投光部３に設け、押さえ部材７および印点装置８を受光部４に設けることができる。
【図面の簡単な説明】
【００３３】
【図１】本発明の一実施形態のレンズメータの斜視図。
【図２】図１のレンズメータの単体レンズ測定時の側面図。
【図３】図１のレンズメータの眼鏡入りレンズ測定時の側面図。
【図４】図１のレンズメータの係止機構の分解斜視図。
【図５】図１のレンズメータの係止機構の移動部材非係止時の正面図。
【図６】図１のレンズメータの係止機構の移動部材係止時の正面図。
【符号の説明】
【００３４】
１  レンズメータ
２  装置本体
３  投光部
４  受光部
５  被検レンズ
９  眼鏡
１０  当接板
１１  移動部材
１２  係止機構
１６  当接板係止スイッチ
１７  側壁
１８  側壁
１９  固定部材
２１  回動軸
２２  蝶番
２３  第１アーム
２４  第２アーム
２５  摩擦抵抗体
２６  摩擦抵抗体
２７  弾性支持体
２８  付勢部材
【図１】
2008116290.tif 000003
【図２】
2008116290.tif 000004
【図３】
2008116290.tif 000005
【図４】
2008116290.tif 000006
【図５】
2008116290.tif 000007
【図６】
2008116290.tif 000008